(57)【特許請求の範囲】
【請求項１】
ペニスの挿入口を備えており、前記挿入口にペニスを挿入した状態でペニスを
固定するペニス固定具において、
前記挿入口は、前記挿入口に対するペニスの挿入方向と直交する第１方向に沿って延在しており、
前記挿入方向と前記第１方向とに直交する第２方向における前記挿入口の両縁部の
うち、一方の縁部である第１縁部には、前記第１方向に沿って延在しており、
且つ前記挿入口内側に向かって突出している第１突出部が設けられており、
前記第２方向における前記挿入口の両縁部のうち、
他方の縁部である第２縁部には、
前記第１方向に沿って延在しており、
且つ前記挿入口内側に向かって突出している第２突出部が設けられており、
前記第２方向における前記第１突出部の先端部と、
前記第２方向における前記第２突出部の先端部は離間しており、
前記挿入口に対してペニスを、該ペニスの左右方向と前記第２方向とを
一致させた状態で挿入したと仮定したときに、
前記第１突出部及び前記第２突出部は、ペニスの左右方向における側面に
それぞれ接触するとともに、ペニスの挿入方向に沿って揺動可能に構成されており、
前記第１方向における前記挿入口の両縁部同士の離間が、前記第１突出部の先端部と前記第２突出部の離間よりも大きいことで、
前記第１方向における前記挿入口の両縁部が、ペニスの上下方向における側面から離間するように構成されていることを特徴とするペニス固定具。
【請求項２】
前記挿入口内側に向かって突出している前記第１突出部及び前記第２突出部は、且つ前記挿入方向の反対の方向である身体側に向かっても突出している請求項１に記載のペニス固定具。
【請求項３】
帯状の本体部を備えており、前記挿入口は前記本体部に設けられており、
前記第１方向における前記本体部の第１端部と、前記第１端部の反対の第２端部には、前記第１端部と前記第２端部とを相互に連結するための連結部を備えている請求項１〜請求項２の何れか一項に記載のペニス固定具。
【請求項４】
装着状態において環状になる本体部を備えており、
前記挿入口は前記本体部に設けられており、
前記第１方向における前記挿入口の第１縁部から
前記第１方向における前記本体部の端部掛けて分離しており、
前記分離部における両端部のうち一方の端部である第１端部と
前記分離部における両端部のうち他方の端部である第２端部には
前記第１端部と前記第２端部とを相互に連結するための連結部を備えている請求項１〜請求項３の何れか一項に記載のペニス固定具。
【発明の詳細な説明】
【技術分野】
【０００１】
この発明は、ペニスの固定を必要とする時または物において、ペニスの位置的保持・固定方法の提供に関する。
【背景技術】
【０００２】
従来のペニスの固定を必要とする時または物に、用いられる保持・固定方法として次の技
術が挙げられる。
【０００３】
「ペニスに３６０度からの圧力を掛けて位置的保持・固定する方法」。
例その１．布製や紙製と言った柔軟な素材をペニスに巻き付け・締め付けての固定。
例その２．柔軟な素材で形成された筒状またはリング状の物にペニスを挿入しての固定。
【０００４】
「粘着力のある物での固定方法」。
例その１．粘着テープまたは粘着素材を皮膚表面に接着しての固定。
【０００５】
「ペニスの両側面部に圧を掛けての固定方法」。
例その１．ペニスの外輪に沿いわん曲している一対の押圧部がペニスの両側面部を押圧する固定具での固定。
例その２．ペニスの両側面部を押圧する一対の押圧部同士が非装着時に解離状態でなく
ペニスへの最大押圧値を設定していない固定具での固定。
例その３、ペニスの両側面部を押圧する一対の押圧部がその他の部位と境目がなく一体化した固定具での固定。
【０００６】
また、介護の現場でも、ペニスの構造に最も適した排尿時等の適切なペニスの固定方法が確立・指導されてない現状に、介護利用者・提供者共に肉体的・精神的苦痛も大きい。
【先行技術文献】
【特許文献】
【０００７】
【特許文献１】特許第4177448
【特許文献２】特開2010-154994
【特許文献３】特開2000-135235
【特許文献４】特開平9-149913
【特許文献５】特表2001-501116
【特許文献６】特開2012-217860
【非特許文献】
【０００８】
【非特許文献１】阿部信一著「系統看護学講座  専門分野II  腎・泌尿器  成人看護学（８）」株式会社医学書院  ２０１０年
【発明の概要】
【発明が解決しようとする課題】
【０００９】
しかしながら、以上の技術によれば図１に示す様に、「海綿体の伸縮」や「海綿体と外板側包皮Ａ・内板側包皮Ｐ等で構成」を成すペニスの構造上、粘着素材を皮膚表面に接着しての固定方法や、３６０度の方向からペニスに圧を掛けての固定方法では、海綿体の収縮に伴い、伸展性に優れる外板側包皮Ａや内板側包皮Ｐの中で、海綿体が体内に入り込もうとする力が加わり、外板側包皮Ａや内板側包皮Ｐだけが位置保持され、海綿体本体の固定状態を保つ事は難しい。図２に示す、特にお年寄りや身体障害者に最も多いとされている包茎状態のペニス（ｄ）であれば、なおさらの事であり、
【００１０】
必要以上にペニスを３６０度から締め付ける手法をとると海綿体がより収縮し固定状態を保ち難い。
【００１１】
また、図３で示しているペニスの両側面のみにサイドＸ１，Ｘ２から圧を掛ける固定具や固定方法においても、体型や体勢変化、精神状態によって、ペニスが体内に引っ込もうとする力が生じる事や、陰嚢・下腹がペニス固定具の上下両端部に接触する事で、ペニス固定具をペニス挿入先方向６、所謂前方へと押しやり、固定具からペニスが抜け落ちる要因の１つとなる。  
【００１２】
これらの従来技術から、ペニスが位置保持される事で初めて、役割が果たせる商品も、ペニスの位置保持が実施出来ないために、その役割を果たせない。
そこで、この発明は、ペニスの構成や海綿体の伸縮、利用者の体型や身体の体勢変化に関わることなく違和感のない、ペニスの構造を最大限に活かしたペニスに最も安全な位置的保持・固定の方法を用いたペニス固定具とその利用方法を提供することを課題とする。
【課題を解決するための手段】
【００１３】
以上の課題を解決するために、
第一発明は、図５に示す様に、
ペニスの挿入口１１を備えており、前記挿入口１１にペニスを挿入した状態でペニスを
固定するペニス固定具１０において、
前記挿入口は、前記挿入口に対するペニスの挿入方向と直交する第１方向８０に沿って
延在しており、
前記挿入方向と前記第１方向とに直交する第２方向７０における前記挿入口の両縁部の
うち、一方の縁部である第１縁部には、前記第１方向に沿って延在しており、
且つ前記挿入口内側に向かって突出している第１突出部１３が設けられており、
前記第２方向における前記挿入口の両縁部のうち、
他方の縁部である第２縁部には、
前記第１方向に沿って延在しており、
且つ前記挿入口内側に向かって突出している第２突出部１３が設けられており、
前記第２方向における前記第１突出部の先端部１２と、
前記第２方向における前記第２突出部の先端部１２は離間しており、
前記挿入口に対してペニスを、該ペニスの左右方向と前記第２方向とを
一致させた状態で挿入したと仮定したときに、
前記第１突出部及び前記第２突出部は、ペニスの左右方向における側面に
それぞれ接触するとともに、ペニスの挿入方向に沿って揺動可能に構成されており、
前記第１方向における前記挿入口の両縁部同士の離間が、前記第１突出部の先端部と前記第２突出部の離間よりも大きいことで、
前記第１方向における前記挿入口の両縁部が、ペニスの上下方向における側面から離間するように構成されていることを特徴とするペニス固定具である。
【００１４】
第二発明は、図６に示す側面視の様に、
前記挿入口内側に向かって突出している前記第１突出部及び前記第２突出部は、且つ前記挿入方向の反対の方向である身体側に向かっても突出している第一発明に記載のペニス固定具２１，２２，２３，２４である。
【００１５】
第三発明は、図７及び図８に示すように、
帯状の本体部を備えており、
前記挿入口は前記本体部に設けられており、
前記第１方向における前記本体部の第１端部と、前記第１端部の反対の第２端部には、前記第１端部と前記第２端部とを相互に連結するための連結部を備えている第一発明〜第二発明の何れか一項に記載のペニス固定具３０である。
【００１６】
第四発明は図５及び図８に示すように、
装着状態において環状になる本体部を備えており、
前記挿入口は前記本体部に設けられており、
前記第１方向における前記挿入口の第１縁部から
前記第１方向における前記本体部の端部掛けて分離しており、
前記分離した部分における両端部のうち一方の端部である第１端部と、
前記分離した部分における両端部のうち他方の端部である第２端部には
前記第１端部と前記第２端部とを相互に連結するための連結部２６を備えている第一発明〜第三発明の何れか一項に記載のペニス固定具２５ａ，２５ｂである。
【発明の効果】
【００１７】
第一発明によれば、図５に示すように、
ペニスの挿入口１１（以降、当明細書ではペニスの挿入口を、挿入口と記します）を備え、その挿入口にペニスを挿入しペニスを固定するペニス固定具（以降、当明細書ではペニス固定具を、固定具と記します）で、挿入口は、挿入口に対するペニスの挿入方向６（以降、当明細書ではペニスの挿入方向を、挿入方向と記します）と直交する第１方向８０、即ち、固定具をペニスに装着した状態の時にペニスの上下にあたる方向に沿って延在し、挿入方向と第１方向とに直交する第２方向７０、即ち、固定具をペニスに装着した状態の時にペニスの左右にあたる方向における挿入口の両縁部のうちの一方の縁部である第１縁部には、第１方向に沿って延在し且つ挿入口に突出している第１突出部１３が設けられており、第２方向における前記挿入口の両縁部のうち、他方の縁部である第２縁部には、第１方向に沿って延在し且つ挿入口に突出している第２突出部１３が設けられ、この第１突出部の先端部と、第２突出部の先端部とは相互に離間しており、挿入口にペニスを挿入する際、ペニスの左右方向と第２方向とを一致させた状態で挿入、第１突出部及び第２突出部のペニスの左右方向における側面は、それぞれ接触し一対の押圧部１２，１２としての機能を果たす。
（以降、当明細書では、第１突出部及び第２突出部を、第１・２突出部と記すと共に、
第１・２突出部のペニスの左右方向における側面を、一対の押圧部と記します）
【００１８】
また、この一対の押圧部は、相互に離間している事により、一対の押圧部に、この離間幅以上に第２方向へ広がる力が加わった時にのみ弾性復元力が生まれ挿入口に挿入したペニスの胴体部両側面を初めて押圧、ペニス固定が実施されるという効果がある。
【００１９】
固定具の装着状態の時には、図１で示す様に、ペニスの断面線ＰＣ−ＰＣの線断面（ｂ）において、左手方向１と右手方向２を結ぶ第２方向に長く楕円の帯びた形状のペニスの構造上、図３に示すペニスの両サイドＸ１，Ｘ２からの圧での固定により、図１で示す尿道海綿体Ｊ・尿道Ｏへの圧迫、血流を司る浅陰茎背静脈Ｅ・陰茎背動脈Ｆ・深陰茎静脈Ｇ・陰茎深動脈Ｈへの圧迫が軽減される。
【００２０】
それに加え、第１方向における挿入口の両縁部同士の間が、一対の押圧部の離間幅よりも大きく構成されている事で、
【００２１】
図３（ｇ）／ＸＤ，ＸＤで示す様に、一対の押圧部分がペニスの胴体部の両側面部に接触し押圧した時、図４で示す様なペニスの上下面などの両側面以外の面や陰茎亀頭Ｋの方向部分に圧が掛かる要因を無くす領域を設定する事が可能となり、柔軟な海綿体からなる陰茎もパスカルの原理により、押圧部分で押圧されていない部分、ペニスの上下部分・陰茎亀頭Ｋ方向の部分やその他の部分が四方八方Ｚ１〜Ｚ６方向に膨張し血液の行き場が確保されるため、海綿体の収縮も抑えられる事でより固定力が増す。
【００２２】
また、図５の様に、第１・２突出部が、第１方向に延びる線１４,１４で示す回転軸を中心とし挿入方向に沿ってスイングドアの様な動きが可能に構成されていると共に、一対の押圧部が相互に離間している為、
【００２３】
固定具装着状態において、押圧されたペニスが収縮し、ペニスに挿入方向６の逆方向５へ引っ込む力が加わった時は、第１・２突出部１３，１３もペニスに引っ張られ、第１・２突出部もペニス挿入方向の反対方向５へと、スイングドアが開く様に揺動する事でペニスの動きに対応。
ペニスによる引っ張る力が弱まった時には、第１・２突出部または第１・２突出部の支持体の弾性復元力によりペニスも元の固定状態へ戻る効果があると共に、
ペニスに挿入方向の力が加わった時にも、同じく第１・２突出部はペニスの動きに対応し、スイングドアが開く様に挿入方向へ動き、ペニスによる力が弱まった時には第１・２突出部または第１・２突出部の支持体の弾性復元力により元の固定状態へ戻る効果があるほか、
【００２４】
第１・２突出部１３，１３を設けている事で、
発明を実施するための形態で記す「固定具全体がゴム弾性を有する材料製」または「第１・２突出部はゴム弾性を備えないが、これが揺動できるように第１・２突出部をゴム弾性を有する支持体で支持している」の形態である場合の挿入口の開口の方法において、挿入口１１を全開口しペニスを挿入する時、第１方向における挿入口の両縁部がこの第１・２突出部１３，１３に接触し全開口を知らせるストッパーの役目を果す事で、挿入口１１が第１方向８０につぶれず最大限の開口状態を保つ事が可能となる。
【００２５】
第二発明によれば、第一発明の効果に加え、図６に示すように、
第一発明の固定具の側面視の形状において、第１・２突出部が、その他の部位より挿入方向の反対方向６に突出している事で、固定具の装着時及び装着状態の時において、第１・２突出部以外の部位と下腹・陰嚢の接触を軽減する効果がある。
【００２６】
第三発明によれば、図７に示すように、
帯状の本体部に第一発明の挿入口が設けられており、第１方向における本体部の第１端部と、その反対の第２端部には、この両端部を相互に連結するための連結部を備えているため、この両端部を互いに連結する事によって、帯状であった本体部がリング状へと成形可能となる事で、第二発明のペニス固定具の形態へと形成され、第二発明の効果も果たせるようになる。
【００２７】
第四発明によれば、図５に示すように、
第一発明〜第三発明の効果に加え、環状である固定部の一部が連結部２６によって開閉式になる効果を持つ。
【図面の簡単な説明】
【００２８】
【図１】（ａ）は、直立姿勢で、ペニスを床と平行した時に、左手方向から見たペニスに断面線を示した図。  （ｂ）は、（ａ）で示したＰＣ−ＰＣ線断面図で表すペニス内の構造。  （ｃ）は、（ａ）で示したＰＺ−ＰＺ線断面図で表すペニス内の構造。
【図２】直立姿勢で、ペニスを床と平行にし、左手方面から見た外板側包皮と内板側包皮と海綿体の仕組みを示した図。  （ｄ）は、包茎状態の図。  （ｅ）は、外板側包皮と内板側包皮から陰茎亀頭が出た図。
【図３】ペニスに１，２の圧を掛けた外部形状と内部の様子。（ｆ）は、１，２の圧を掛ける前のペニスＰＣ−ＰＣ線断面図。（ｇ）は、１，２の圧を掛けたペニスＰＣ−ＰＣ線断面図。（ｈ）は、１，２の圧を掛けたペニスＰＺ−ＰＺ線断面図。
【図４】ペニスに４，３の圧を掛けた外部形状と内部の様子。（ｉ）は、４，３の圧を掛ける前のペニスＰＣ−ＰＣ線断面図。（ｊ）は、４，３の圧を掛けたペニスＰＣ−ＰＣ線断面図。（ｋ）は、１，２の圧を掛けたペニスＰＺ−ＰＺ線断面図。
【図５】第一発明と第四発明のペニス固定具。
【図６】固定具装着状態時にペニスの右側にあたる方向から見た第一発明のペニス固定具の形状。（第２発明の固定具）
【図７】リング形状にも成形出来るペニス固定具。（第三発明の固定具）
【図８】第三発明と第四発明のペニス固定具に備えられている連結部の形態とその変形例の図。
【発明を実施するための形態】
【００２９】
第一発明の「第１・２突出部がペニスの挿入方向に沿って揺動可能」を実施する構成の形態と変更。
形態その１．第１・２突出部がゴム弾性を有する材料製。
形態その２．第１・２突出部はゴム弾性を備えないが、第１・２突出部が揺動出来る様に第１・２突出部をゴム弾性を有する支持体で支持している。
形態その３．第１・２突出部はバネ等の付勢力によって回動する。
形態その４．固定具全体がゴム弾性を有する材料製である。
この様な形態により、発明の効果でも記した、第１・２突出部が、上下方向に延びる回転軸（図５／線１４,１４）を中心として挿入方向に沿いスイングドアの様な動きが可能となり、「揺動可能な構成」となる。
【００３０】
第一発明の相互に離間した第１・２突出部の先端の形状の形態と変更例。図５。
挿入方向から見た第１・２突出部の先端部の形状において、
形態その１．第１・２突出部の先端部は相互に平行を成している。１０。
形態その２．第１・２突出部の先端部は相互にペニスの外輪に沿う様な方向での円凹型を成している。１０ｂ。
形態その３．「形態その２」とは反対に、第１・２突出部の先端部は相互に円凸型を成している。１０ｃ。
形態その４．第１・２突出部の先端部は、第１・２突出部の先端部は相互に凹型を成している。１０ｄ。
【００３１】
ペニスの胴体部両側面に接触し押圧する一対の押圧部の面の形状において、
形態その１．平面を成している。
形態その２．円凸状を成している。
形態その３  形態その１〜２において、点状または線状の凹凸を有している。
【００３２】
ペニスの胴体部両側面に接触し押圧する一対の押圧部の面の向きについて、
形態その１．挿入方向において相互に平行を成している。
形態その２、挿入口から挿入方向に向かうに従って、離間幅が広くなっている。
形態その３．挿入口から挿入方向に向かうに従って、離間幅が狭くなっている。
【００３３】
第二発明の「第１・２突出部は挿入方向とは反対方向に突出している」形態と変更例。
形態その１．第一発明のペニス固定具の側面視の形状において、第１・２突出部１３，１３の第１方向８０の中心もしくは第１・２突出部１３，１３の直上・直下から、固定具の第１方向８０両端部にかけて、挿入方向６へ向け円弧型に角度がついている。
形態その２．第一発明のペニス固定具の側面視の形状において、第１・２突出部１３，１３の第１方向８０の中心部もしくは第１・２突出部１３，１３の直上・直下を基点にし、この基点から固定具の第１方向８０両端部にかけて、挿入方向６へ傾いた形状になっている。
形態その３．第一発明のペニス固定具の側面視の形状において、第１・２突出部１３，１３が、他の部分よりも挿入方向６の反対方向５に突出し、この突出した部分の挿入方向６側の面は、他の部分よりも挿入方向の反対方向５へ凹みを持った形状。即ち、第１・２突出部１３，１３以外の部分が挿入方向６へ突出し、第１・２突出部１３，１３はその他の部分より挿入方向の反対方向５に突出した形状になっている。
【００３４】
第三発明の「帯状の本体部を備えており」の帯状の形態と変更例。
形態その１．長方形の帯状である。図６
形態その２．楕円形の帯状である。
形態その３．５角以上の帯状である。
形態その４．形態その１〜３において、本体部に設けられている第一発明の挿入口を第１方向にはさんでの第２方向に延びる一対のスリット３２，３２が設けられている。
形態その５．形態その１〜３において、本体部に設けられている第一発明の挿入口を第１方向にはさんでの第２方向に延びる一対のスリットまたはミシン目が設けられている。
【００３５】
第三発明の「前記挿入口は前記本体部に設けられており」の挿入口の位置の形態と変更例。
形態その１．第１方向における  本体部の中央の位置に設けられている。図７
形態その２．第１方向における  本体部の中央より第１端部寄りの位置に設けられている。
形態その３．第１方向における  本体部の中央より第２端部寄りの位置に設けられている。
【００３６】
第三発明の「備えられている連結部」の形態と変更例。
ここで記す第１端部及び第２端部とは、第三発明で記してある第１端部と第２端部である。
図８／１００〜１０６で、それぞれ上段・下段に分け
上段では、挿入方向から見た連結前の第１端部と第２端部の連結部のみの形状を示し、
下段では、第２方向から見た連結状態の連結部を図示、
第１・２端部の連結部の形態と変更例として示す。
第１端部と第２端部にはそれぞれ「形態その１〜その１１」のようなものが備わる。
第４発明における分離した部分の第１端部と第２端部に備えられている図５で示す連接部２６の形態や変更例も同様の形態であり、第１端部と第２端部にはそれぞれ「形態その１〜その１１」のようなものが備わる。
形態その１．粘着素材と粘着素材。１００。
形態その２．粘着素材と粘着する部分。１００。
形態その３．粘着テープ等が貼れる叉は巻き付けられる事が可能な部分と部分。
形態その４．マジックテープのオスとメス叉はマジックテープのオスに着く素材。１００。
形態その５．差し込み式のオスとメス。１０１，１０２，１０６。
形態その６．鉤型のオスとメス。１０３，１０４。
形態その７．楔を挿入するホールとホール。１０５。
形態その８．洗濯バサミ形態の固定具と挟める部分。洗濯バサミ形態の固定具同士。
形態その９．クリップ形態の固定具と挟める部分。
形態その１０．平面１００やカギ状１０３，１０４の形状で、マグネットとマグネット叉はマグネットに反応する素材。
形態その１１．形態その１〜１０を、図８に示している第１・２先端部の面以外の面や向きに施す。
【００３７】
第４発明の「環状の本体部」の形態と変更例。
形態その１．楕円形の環状。
形態その２．四角形の環状。
形態その３．五角以上の環状。
【第一から第三発明の固定具の装着の仕方】
【００３８】
第一発明、及び、第二発明の一実施形態を、図５に示す。
固定具１０，図６／２１，２２，２３，２４の第１突出部と第２突出部に、
挿入方向と挿入方向、または、挿入方向の反対方向と挿入方向の反対方向、もしくは、挿入方向と挿入方向の反対方向へと力を加え、挿入口１１を開口、また、
「固定具全体がゴム弾性を有する材料製」あるいは
「第１・２突出部はゴム弾性を備えないが、これが揺動できるように第１・２突出部をゴム弾性を有する支持体で支持している」形態の固定具は、一対の押圧部にそれぞれ第２方向における左手方向１と右手方向２の両方向へ力（図５/Ｌ１・Ｌ２）を加える、または、固定具本体部の第１方向８０の両端部分に第１方向８０中心部方向に向け力を加える事で挿入口が第２方向に開かれ、挿入口にペニスの挿入が可能となり、全開口させた挿入口にペニスの胴体部までしっかりとペニスを挿入し、第１・２突出部または固定具本体に加えていた力を解放する事で、第１・２突出部または第１・２突出部の支持体の弾性復元力によって一対の押圧部１２，１２がペニスの胴体部に両側面に接触し圧を掛け、ペニスの位置的保持・固定が実施される。
【第三発明の固定具を帯状からリング状への成形の仕方】
【００３９】
第三発明の第１方向に長い帯状の固定具において、
第１・第２端部に備わる連結部を相互に連結し、リング状に形成する。
ここでは、連結部の一形態である図７及び図８/１０１で示すＴ字型の差し込み口（ホール）３３とその差し込み口に対応する差し込み部３６が備わる連結部でのリング状への成形の仕方について記す。
固定具３０の第１方向８０の中心部から第１方向の両端部に掛け、ペニス挿入方向６へとしならせ、両端部をそれぞれ逆方向に４５度ずつ捻り、Ｔ字型の差し込み口の第１方向８０最長部分３５に、差し込み部３６の第２方向７０に１番短い部分３９の根元まで差し込んだのち、両端部の捻りを開放し、差し込み部の第２方向に２番目に長い部分３８を差し込み口の第２方向の最長部分３４に合わせ差し込んだ方向と逆方向に引く事で  差し込み部の第２方向２番目に長い部分３８が差し込み口の第２方向の最長部分３４に填まり込み、両端部の連結が完了、帯状の固定具がリング形状へと成形出来る。
【第四発明の固定具の装着の仕方】
【００４０】
第四発明の実施形態を、図５と図８で示す。
連結された連結部を外し、一対の押圧部をペニスの胴体部の両側面に宛がうように位置設定し、連結部を図８に示すように連結させる。
【実施形態の効果】
【００４１】
第一発明につきペニスの胴体部の両側面に一対の押圧部分（図５／１０／１２，１２）を接触させ、ペニスの左右方向１，２から圧を掛ける固定方法によって、
【００４２】
３６０度から圧力を掛ける固定方法よりも海綿体から体内に流れ込む血液の量が減少し海綿体の収縮も抑えられ、
直径が第２方向７０に１番長く延びる断面視楕円形のペニスの弾性復元による反発力も大きく、第１・２突出部または第１・２突出部の支持体の弾性復元力との相乗効果で圧力や摩擦力も大きくなる事でしっかりとした固定力が生まれる。
さらに尿道や血流を司る各静動脈等にも圧が掛かり難い事から、排尿障害や血流悪化がなく尿取りグッズ等との併用も効果的となる。
【００４３】
また一対の押圧部を、挿入口へ突出１３，１３させる事で、
第１発明を実施するための一形態である
固定具全体がゴム弾性を有する材料製、または、第１・２突出部はゴム弾性を備えないが、これが揺動できるように第１・２突出部をゴム弾性を有する支持体で支持している構成の固定具については、挿入口１１を左右方向に全開口しペニスを挿入する時、第１方向における挿入口の両縁部がこの第１・２突出部１３，１３に接触、全開口を知らせるストッパーの役目を果す事で、ペニスを挿入する時、過度な開口をセーブし、固定具が第１方向８０につぶれる事を防ぎペニスの挿入がし易くなる効果をもたらすと共に、
【００４４】
前記形態に限らず、一対の押圧部は相互に離間しているため
装着状態においても、ペニスへの過剰な押圧を防ぎペニスの固定を実施される他、この突出した押圧部で固定されたペニスに体内へ引っ込む力が加わった時、押圧部もペニスに引っ張られ、突出した押圧部１２，１２も図５／１４，１４線の位置を回転軸として挿入方向の反対方向５へと揺動する事で、ペニスの動きに対応。ペニスの引っ張る力が弱まった時、第１・２突出部または第１・２突出部の支持体の弾性復元力の働きで、ペニスも突出した押圧部分の動きに伴い、元の固定状態へと戻る事で柔軟且つ安全性に優れた固定が可能となる。
【００４５】
第二発明につき、第一発明の効果に加え、固定具の側面視の形状において、第１・２突出部がその他の部位より挿入方向の反対方向５、所謂、装着状態においての被装着者側に突出している事で、装着時あるいは装着状態にある時に、第１・２突出部以外の部位への陰嚢・下腹の接触が軽減し、装着し易くなる他、陰嚢・下腹が固定具に接触し固定具を挿入方向６へ押しやる事がなくなる為、固定具からペニスが抜ける要因も減少する。
【００４６】
第三発明につき、第一発明の効果に加え、第１方向８０における本体部の両端部に備えられている連結部を相互に連結しリング形状にも成形できる事で、第二発明の形態も容易に実施可能になる事、
そして尿取りパッド等と併用する場合、利用者が座位または起立体勢にある時は  リンク形状に成形したこの固定具を尿取りパッド内部で使用する事で、尿取りパッド内部に、排尿の速度・量と吸水材の吸水速度の差を埋める空間ができ、尿取りパッドからの尿漏れを防ぐ効果もある事、
また、挿入口を第１方向にはさんでの第２方向に延びる一対のスリットまたはミシン目３２，３２を設ける事で、リング形状に成形された本体が挿入方向に沿い押しつぶし易くなり、ほぼ正円だったリンク形状から第１方向へ長い楕円のリング形状への整形できるため、わん曲の度合いを調節できる効果も持ち合わせるほか、利用者が仰向け等の寝ている体勢にある時には、尿取りパッド内部に空間を作らずペニスが直接吸水材に触れる状態に設定出来る様、このスリットまたはミシン目の位置から第１方向における帯状本体部の両端部にかけての部分３１，３１をカットするだけで、第一発明の形態での使用が可能になり、ユーザーの身体状態や体勢に応じて、固定具の形状を使用現場において自在に変形できる利便性がある。
【００４７】
第四発明につき、第一発明〜第三発明の効果に加え、挿入口が大きく開く構成のため、装着もし易く、ペニスがどんな状態においても装着が可能になる効果がある。
【他の実施形態】
【００４８】
リング形状に成形できる第三発明の他の実施形態において、
実施形態その１．帯状のままペニスに装着し、その後でリング形状に成形する事も有効的である。
実施形態その２．リング形状に成形せず原型のままでの使用。
実施形態その３．装着前に、本体部に設けられている第一発明の挿入口を第１方向にはさんでの第２方向に延びる一対のスリットまたはミシン目３２，３２から本体部の第１方向８０両端部にかけての部分３１，３１をカットする事で第一発明と同様な形状での利用。
実施形態その４．固定具を装着し、スリットまたはミシン目３２，３２を基点に本体部の第１方向８０両端部にかけてペニス挿入先方向に曲げ、その部分３１，３１を排尿器口に差し込む事で排尿器使用時のペニス固定補助具となる。
実施形態その５．スリットまたはミシン目３２，３２から本体部の第１方向の第２端部にかけての部分のみをカットし固定具を予め装着、トイレまたは排尿器への排尿時には、カットしていないもう一方の本体部の端部等を手で持ちペニスの方向を定める補助具となる。
【００４９】
第一、第二、第三、第四発明は、利用者の状態に応じて柔軟な実施形態が取れる事も特徴である。
【活用例】
【００５０】
実施形態はこれらの場面や物で有効活用出来る。
排尿叉は排尿介護時の補助具としての使用。
また、オムツや尿取り製品／携帯用トイレ／尿瓶・排尿器／生理用品／コンドーム／包茎補正具／医療用品／スポーツ用品／下着、など、これらの物にペニス固定機能として組み込む叉は併用する。
【符号の説明】
【００５１】
ＰＣ  図１（ｂ）で示す断面の断面線。
ＰＺ  図１（ｃ）で示す断面の断面線。
Ａ  外板側包皮。
Ｅ  浅陰茎背静脈。
Ｆ  陰茎背動脈。
Ｇ  深陰茎静脈。
Ｈ  陰茎深動脈。
Ｊ  尿道海綿体。
Ｏ  尿道。
Ｐ  内板側包皮。
Ｋ  陰茎亀頭。
Ｘ１  右手方向からの圧。
Ｘ２  左手方向からの圧。
ＸＤ  圧を掛ける物。
Ｙ１  へそ方向からペニス中心部方向への圧。
Ｙ２  足首方向からペニス中心部方向への圧。
Ｚ１  圧を掛けた事で生まれる膨張の向き。
Ｚ２  圧を掛けた事で生まれる膨張の向き。
Ｚ３  圧を掛けた事で生まれる膨張の向き。
Ｚ４  圧を掛けた事で生まれる膨張の向き。
Ｚ５  圧を掛けた事で生まれる膨張の向き。
Ｚ６  圧を掛けた事で生まれる膨張の向き。
Ｌ１  ペニス固定具本体への圧方向。
Ｌ２  ペニス固定具本体への圧方向。
【００５２】
１  左手方向／固定具をペニスに装着した状態の時に被装着者側から見てペニスの左にあたる方向。
２  右手方向／固定具をペニスに装着した状態の時に被装着者側から見てペニスの右にあたる方向
３  上方向／固定具をペニスに装着した状態の時にペニスの上にあたる方向。
４  下方向／固定具をペニスに装着した状態の時にペニスの下にあたる方向。
５  ペニスの挿入方向の反対方向／挿入方向の反対方向。
６  ペニスの挿入方向／挿入方向。
７０  第２方向／固定具をペニスに装着した状態の時にペニスの左右にあたる方向。
８０  第１方向／固定具をペニスに装着した状態の時にペニスの上下にあたる方向。
９０  ペニスの挿入方向。
１０  第一発明の固定具の一形態の正面視。
１０ｂ  第一発明の固定具の一形態の正面視。
１０ｃ  第一発明の固定具の一形態の正面視。
１０ｄ  第一発明の固定具の一形態の正面視。
１１  ペニス挿入口。
１２  第１突出部の先端部と第２突出部の先端部／ペニス胴体部の両側面部に対応し押圧する一対の押圧部。
１３  ペニス挿入口においてのペニス側への第１・２突出部。
１４  第１・２突出部１３，１３が揺動する回転軸の位置。
２０  第一発明のペニス固定具の一形態の側面視。
２１  第二発明のペニス固定具の一形態の側面視。
２２  第二発明のペニス固定具の一形態の側面視。
２３  第二発明のペニス固定具の一形態の側面視。
２４  第二発明のペニス固定具の一形態の側面視。
２５ａ  第四発明の一形態の正面視。
２５ｂ  第四発明の一形態の正面視。
２５ｃ  第四発明の一形態の正面視。
２６  連結部。
３０  第三発明のペニス固定具の正面視。
３３  Ｔ字状の差し込み口。
３４  差し込み口の第２方向７０最長部分。
３５  差し込み口のＹ方向最長部分。
３６  差し込み部。
３８  差し込み部の第２方向７０に２番目に長い部分。
３７  差し込み部の第２方向７０最長部分。
３８  差し込み部の第２方向７０に２番目に長い部分の縦幅。
４１  当該固定具の厚み。
３１  第１方向においてのペニス挿入口の直上直下から本体部の両端部にかけての部分。
３２  スリットまたはミシン目。
４０  第三発明のペニス固定具における一形態の側面視の形状。
４１  第三発明のペニス固定具の厚さ。
５０  第三発明のペニス固定具をリンク形状にした図。
【図１】
0006757096.tif 000002
【図２】
0006757096.tif 000003
【図３】
0006757096.tif 000004
【図４】
0006757096.tif 000005
【図５】
0006757096.tif 000006
【図６】
0006757096.tif 000007
【図７】
0006757096.tif 000008
【図８】
0006757096.tif 000009